(57)【要約】【課題】メダルの枚数管理が容易に行なえるメダル払出ユニットを提供する。【解決手段】本発明のメダル払出ユニットは、メダル貸出機内に設置され、貨幣の投入と引き換えにメダルを払出しするように構成されており、メダルを所定枚数、積層収容した筒状部材２００を着脱可能にする着脱機構１３を設けたことを特徴とする。【選択図】    図４
2006026027.tif 000002
【特許請求の範囲】
【請求項１】
貨幣と引き換えにメダルを払出しするメダル払出ユニットにおいて、
メダルを所定枚数、積層収容した筒状部材を着脱可能にする着脱機構を設けたことを特徴とするメダル払出ユニット。
【請求項２】
前記メダル払出ユニットは、メダル貸出機内に設置されることを特徴とする請求項１に記載のメダル払出ユニット。
【請求項３】
前記着脱機構は、前記筒状部材が差し込まれる保持部と、この保持部に形成され、前記筒状部材の端部を当て付け保持する段部と、この段部よりも下側に設置され、特定枚数分のメダルを蓄積する蓄積部と、前記蓄積部において蓄積されている特定枚数のメダルの一部が払出されたことを検知する検知手段とを有することを特徴とする請求項１又は２に記載のメダル払出ユニット。
【発明の詳細な説明】
【技術分野】
【０００１】
本発明は、例えば、メダルを貸出すメダル貸出機内に設置可能であり、前記メダルを蓄積して連続的に払出し可能にするメダル払出ユニットに関する。
【背景技術】
【０００２】
一般的に、遊技場に設置されている遊技機には、紙幣や硬貨（貨幣）を投入することで、直接遊技が行なえるタイプ、及び所定のメダルを利用して遊技が行なえるタイプのものがある。後者のタイプで遊技を行なう場合、遊技者は、予め、遊技場内に設置されているメダル貸出機に貨幣を投入し、その価値に応じたメダルの払出しを受けるようになっている。
【０００３】
通常、メダル貸出機は、多数のメダルを収容しておき、遊技者によって投入された金額に応じて、メダル払出ユニットを介してメダルを払出すようにしていることから、メダルを補充する作業が必要となる。この補充作業は、例えば、特許文献１に開示されているようなメダル貸出機では、メダル貸出機の天板を開放して、メダル払出ユニットに装着されている収容箱（バケット）を露出させ、ここに、バケツなどを利用して、メダルを補充するようになっている。
【特許文献１】実開平１−５０８８４号公報
【発明の開示】
【発明が解決しようとする課題】
【０００４】
上記したメダル貸出機によれば、気軽にメダルの補充作業が行なえるものの、具体的なメダルの枚数管理が行ない難い、という問題がある。すなわち、メダルゲームの設置店にとっては、メダルの枚数管理は重要であるものの、上記したようなバケツなどによって多数のメダルを一度に投下する構成では、具体的な枚数管理を行なうことは困難である。特に、メダル管理を厳しくするほど、それに比例してメダルの取り扱いが面倒になるという問題が発生する。
【０００５】
また、最近では、複数枚の遊技価値を有するメダルを、単一のメダルとして貸出す手法が行われるようになっている。例えば、メダルにＩＣタグのような情報記録素子を組み込んでおき、この情報記録素子に、所定枚数分のメダル価値を書き込んでおくことで、１枚のメダルでありながら、多数枚のメダルを所有するのと同様な効果を与えることを可能としている。このような構成では、メダルの枚数管理は、より重要になると考えられる。
【０００６】
本発明は、上記した問題に基づいてなされたものであり、メダルの枚数管理が容易に行なえるメダル払出ユニットを提供することを目的とする。
【課題を解決するための手段】
【０００７】
上記した目的を達成するために、本発明に係るメダル払出ユニットは、請求項１に記載されているように、貨幣と引き換えにメダルを払出しする構成において、メダルを所定枚数、積層収容した筒状部材を着脱可能にする着脱機構を設けたことを特徴とする。
【０００８】
このように、着脱機構によって装着される筒状部材には、予め、所定枚数のメダルが収容されていることから、実際のメダルの払出し枚数を明確に把握することが可能となる。また、メダルが全て払出されても、所定枚数のメダルを収容した筒状部材を単に交換するだけで補充作業が行なえることから、補充回数をカウントするだけで、正確なメダルの払出状況を把握することが可能になる。なお、上記したメダル払出ユニットの使用態様としては、メダルの払出しを自動的に行なえる専用の装置や遊技機に設置したり、或いは、遊技場のカウンタ等に設置しておき、遊技者がカウンタの従業員に貨幣を受け渡した際、カウンタの従業員が操作して、貨幣に応じた所定枚数のメダルを排出し、それを遊技者に手渡すようなものであっても良い。
【０００９】
また、請求項２に係る発明は、前記メダル払出ユニットは、メダル貸出機内に設置されることを特徴とする。
【００１０】
このような構成では、メダル払出ユニットが、貨幣と引き換えにメダルを払出す専用の装置（メダル貸出機）内に設置されることから、遊技者の利便性の向上が図れるようになる。
【００１１】
また、請求項３に係る発明は、前記着脱機構は、前記筒状部材が差し込まれる保持部と、この保持部に形成され、前記筒状部材の端部を当て付け保持する段部と、この段部よりも下側に設置され、特定枚数分のメダルを蓄積する蓄積部と、前記蓄積部において蓄積されている特定枚数のメダルの一部が払出されたことを検知する検知手段とを有することを特徴とする。
【００１２】
このような構成によれば、筒状部材から全てのメダルが払出された後に、エンプティ情報が検出されるため、筒状部材の交換時期を正確に把握することができるようになる。また、エンプティ情報が検出されても、メダルは、特定枚数分（例えば、最も大きな紙幣金額分で購入可能な枚数に設定しておくのが好ましい）に対応した量が蓄積部に蓄積されていることから、エンプティ情報が検出された後でも、メダルの払出しを実行することが可能となり、メダルの払出し動作の途中で、メダルが無くなるようなことが防止される。
【発明の効果】
【００１３】
本発明によれば、メダル払出ユニットに、予め、所定枚数を収容した筒状部材を着脱可能にしたことで、メダルの枚数管理が容易に行なえるようになる。
【発明を実施するための最良の形態】
【００１４】
以下、本発明に係るメダル払出ユニットの実施形態について説明する。  
本実施形態に係るメダル払出ユニットは、例えば、図１に示すようなメダル貸出機１内に設置することが可能であり、遊技者が貨幣やプリペイドカード等を所定の投入口２ａ，２ｂに投入することで、その貨幣価値に応じたメダルを払出すようにしている。この場合、本実施形態のメダル払出ユニットで取り扱うメダルは、プラスチック製で内部にＩＣタグを組み込んでおり、払出し時に、投入された貨幣価値に応じた情報を書き込んで、メダル貸出機１の払出口３から排出されるようになっている。
【００１５】
なお、図２に示すように、メダル払出ユニット１０は、上記メダル貸出機１のフロントドア５を開放した際に、その本体６の所定の位置に設置されている。メダル払出ユニット１０には、メダルを積層収容する円筒状のメダル収容体（筒状部材）２００が着脱可能に装着されており、メダル収容体２００に積層された多数のメダルは、以下に詳述するように、メダル払出ユニット１０で所定の処理を施された後、払出しされる。この場合、図に示すメダル収容体２００は、予め定められた所定枚数（本実施形態では１００枚）のメダルを蓄積、収容するようになっている。
【００１６】
前記メダル収容体２００の基端側には、図３に示すように、径方向に引き出し可能なストッパ２１０が装着されており、このメダル収容体２００の基端側を、後述するメダル払出ユニット１０の着脱機構１３を構成する保持部に差し込み、ストッパ２１０を引き抜くことで、メダル収容体内に収容されたメダルは、メダル払出ユニット１０に供給されるようになる。なお、ストッパ２１０の引き抜き操作が行ない易いように、ストッパ２１０に、引き抜き用の紐２１１を取着しておくことが好ましい。
【００１７】
このように、メダル払出ユニット１０に対して、予め定められた枚数のメダルを収容したメダル収容体２００を着脱可能に装着することで、メダルの枚数管理が行ない易くなると共に、例えば、プラスチックのようなメダルを用いたとしても、損傷などすることが防止されるようになる。
【００１８】
次に、図４から図１１を参照して、メダル払出ユニットの構成について説明する。これらの図において、図４は、全体構成を示す斜視図、図５は、メダル収容体を着脱可能にする着脱機構の構成を示す断面図であり、（ａ）は、メダルがメダル収容体内に存在している状態を示す図、（ｂ）は、エンプティセンサがメダルが無くなったことを検出する状態を示す図、図６は、スライドプレートの構成を示す平面図、図７（ａ）は、スライドプレートが左側に駆動された状態を示す平面図、図７（ｂ）は、スライドプレートが右側に駆動された状態を示す平面図、図８は、メダル払出ユニットの裏面図、図９は、メダル払出ユニットの裏側に取着された下面カバーを取り外した状態であって、プッシャの初期位置を示す図、図１０は、プッシャが最大押圧位置に移動した状態を示す図、そして、図１１は、メダル払出ユニットをメダルが排出される側から見た正面図である。
【００１９】
図４に示すように、メダル払出ユニット１０は、前記メダル貸出機１の本体３に設置される矩形状の基台１１を備えており、この基台１１の略中央には、第１固定ベース１２が取り付けられ、ここに上記したメダル収容体２００を複数本着脱可能に収容する着脱機構１３が設けられている。
【００２０】
本実施形態の着脱機構１３は、隣接して２本の透明状のメダル収容体２００が差し込まれるように、軸方向に延出する２つの円筒状の保持部１３ａ，１３ｂを備えており、各保持部１３ａ，１３ｂの内周面の略中間位置には、メダル収容体２００の端面を当て付けて位置決め保持する段部１３ｃ，１３ｄが形成されている。
【００２１】
前記各段部１３ｃ，１３ｄの下方側には、垂直方向に延出する長孔１３ｅ，１３ｆが形成されており、この領域より下側が、特定枚数のメダル（ここでは、最も大きな紙幣金額分で購入可能な枚数、例えば６枚とする）を蓄積できる蓄積部１３ｇ，１３ｈとして構成されている。前記長孔１３ｅ，１３ｆには、図５（ａ），（ｂ）に示すように、メダル検出センサ（エンプティセンサ）９０が配置されており、図５（ｂ）に示すように、メダルの残り量が上記した特定枚数から減ったことを検出できるように構成されている。
【００２２】
なお、エンプティセンサ９０は、図５に示すように、反射型の光学式のセンサによって構成したり、或いは、各孔１３ｅ，１３ｆから突出して、メダルと接触する機械的なセンサ等によって構成しても良い。
【００２３】
このような構成によれば、メダルが少なくなったこと（補給時期）を報知することが可能となり、適切なタイミングでメダル収容体２００を交換することが可能になる。また、メダル収容体２００から全てのメダルが払出された後に、エンプティ情報が検出されるため、メダル収容体２００の交換時期を正確に把握することができると共に、確実に空状態になったメダル収容体２００を取り外すことが可能となり、メダルが散乱することを防止できる（エンプティセンサが段部１３ｃ，１３ｄよりも上方にあると、メダル収容体２００にメダルが残ったまま、メダル収容体２００を取り外してしまう可能性があり、この場合、メダルが散乱してしまう）。
【００２４】
そして、上記のように特定枚数のメダルを蓄積できる蓄積部１３ｇ，１３ｈを設けたことにより、エンプティ情報が検出された後でも、メダルは、特定枚数に相当する分だけ蓄積部に蓄積されていることから、引き続きメダルの払出しを実行することが可能となり、メダルの払出し動作の途中で、メダルが無くなるようなことが防止される。
【００２５】
前記第１固定ベース１２に設けられる着脱機構１３の下端部には、保持部１３ａ，１３ｂの径に対応して（メダルの径に対応して）開口１４ａ，１４ｂが形成されており、ここから各保持部１３ａ，１３ｂに差し込まれたメダル収容体２００内のメダルが後述するスライドプレートの楕円状の開口に落下するようになっている。なお、図６において、そのような開口１４ａ，１４ｂは、二点鎖線で示してある。
【００２６】
前記基台１１には、図４に示すように、前記第１固定ベース１２の下側に、第２固定ベース１５が設置されており、これらの固定ベース１２，１５の間には、上記した２つのメダル収容体２００から順番（交互）にメダルを取り出すメダル取出部材としてのスライドプレート１７が長手方向に沿って往復駆動されるようになっている。この場合、スライドプレート１７の往復駆動は、後述する駆動モータによって成される。
【００２７】
スライドプレート１７には、図６に示すように、楕円状の開口１７ａが形成されており、スライドプレート１７の往復駆動によって、前記保持部１３ａ，１３ｂ内に位置するメダルのいずれかを開口１７ａに落下するようにしている。具体的には、図７（ａ）に示すように、スライドプレート１７が左側に位置しているときには、保持部１３ａ内のメダルＭが前記開口１４ａを介して開口１７ａに落下し（このとき保持部１３ａ内のメダルは開口１７ａに落下することはできない）、図７（ｂ）に示すように、スライドプレート１７が右側に位置しているときには、保持部１３ｂ内のメダルＭが前記開口１４ｂを介して開口１７ａに落下するようになっている（このとき保持部１３ｂ内のメダルは開口１７ａに落下することはできない）。すなわち、スライドプレート１７の往復駆動によって、連続的、かつ交互に保持部１３ａ，１３ｂ内に位置するメダルが落下する（取り出される）ようになっている。
【００２８】
前記第２固定ベース１５には、前記保持部１３に形成される開口１４ａ，１４ｂの中間位置に、各開口１４ａ，１４ｂと同一の径を有する案内手段としての開口１５ａが形成されており、前記スライドプレート１７の開口１７ａに落下したメダルは、スライドプレート１７の移動によって、この開口１５ａに落下するようになっている。すなわち、スライドプレート１７が往復駆動することによって、交互に保持部１３ａ，１３ｂから楕円状の開口１７ａに落下したメダルは、スライドプレート１７の移動に伴い、順次、開口１５ａに落下するようになっている。具体的には、図７（ａ）に示すように、保持部１３ａから開口１４ａを介して楕円状の開口１７ａに落下したメダルＭは、スライドプレート１７が右側に駆動される途中で、開口１５ａに落下する。また、図７（ｂ）に示すように、保持部１３ｂから開口１４ｂを介して楕円状の開口１７ａに落下したメダルＭは、スライドプレート１７が左側に駆動される途中で、開口１５ａに落下する。
【００２９】
前記第２固定ベース１５の下方には、図８、図１１に示すように、所定の隙間Ｇを介して下面カバー１９が取り付けられており、前記開口１５ａに落下したメダルは、この隙間Ｇ内に形成された排出経路に案内されるようになっている。具体的には、図９及び図１０に示すように、第２固定ベース１５の裏面には、スライドプレート１７の移動方向に沿って排出経路２０を形成するように、所定の肉厚を有する一対のガイド部材２１ａ，２１ｂが、略メダルの径の分だけ離間して取り付けられており、前記開口１５ａを介して隙間に落下した（下面カバー１９上に落下した）メダルＭは、ガイド部材２１ａ，２１ｂ間に形成された排出経路２０に落下し、この排出経路２０に沿って移動可能となっている。排出経路２０は、後述するプッシャのスライド方向に沿って延出しており、図９及び図１０において、排出経路２０の左側が、メダルが排出される排出部２０ａとなっている。
【００３０】
また、前記第２固定ベース１５と下面カバー１９との間の隙間内には、図８から図１０に示すように、前記スライドプレート１７を往復駆動する駆動モータによって往復駆動されるプッシャ２５が配置されている。プッシャ２５は、略Ｔ字形状を成しており、その先端部に円弧状の当接部２５ａが形成されて、メダルを排出経路２０に沿って押圧するようになっている。プッシャ２５の両サイドには、前記基台１１との間で引張バネ２７が配設されており、プッシャを常時、矢印Ｄ１方向に向けて付勢している。
【００３１】
次に、上記したスライドプレート１７とプッシャ２５を往復駆動する駆動手段（駆動モータ）、及びスライドプレート１７とプッシャ２５を往復駆動するための駆動力伝達手段の構成について説明する。
【００３２】
上記した基台１１の側部には、図４に示すように、コの字型の第３固定ベース３０が取り付けられており、ここに駆動モータ３１が設置されている。前記スライドプレート１７の端部は、第３固定ベース３０の内部に入り込んでおり、ここに、スライドプレート１７の延出方向に直交して楕円状の開口１７ｂが形成されている。一方、駆動モータ３１の回転軸３１ａには、図６に示すように、円板状の偏芯カム３３が取り付けられており、この偏芯カム３３の外周面は、前記スライドプレート１７に形成された開口１７ｂ内に位置して、その内周面に当接されている。この結果、偏芯カム３３が駆動モータ３１によって１回転されることで、スライドプレート１７は、上記した偏芯カム３３と開口１７ｂの内周面とのカム作用によって、１往復駆動される。
【００３３】
また、前記偏芯カム３３の下方側には、図８から図１０に示すように、回転板３６が配設されており、回転板３６の中心部分に前記駆動モータ３１の駆動軸３１ａが連結されている。この場合、偏芯カム３３と回転板３６は同期しており、偏芯カム３３が１回転すると、回転板３６も１回転するように構成されている。
【００３４】
前記回転板３６の裏面側には、１８０°間隔で、一対の係合ピン３６ａが突設されており、回転板３６の回転に伴って、前記プッシャ２５の平坦状の基端面２５ｂに当接するようになっている。この場合、前記プッシャ２５の初期位置（引張バネ２７の付勢力による初期位置）は、図９に示すように、プッシャ２５の当接部２５ａが、前記開口１５ａを開放している位置に設定されており、このとき、一対の係合ピン３６ａは、基端面２５ｂの両サイドに位置している。この状態で、回転板３６が矢印Ｄ２方向に回転駆動されて、一方の係合ピン３６ａが基端面２５ｂに当接して押圧し始めると、プッシャ２５は、前記引張バネ２７の付勢力に抗して移動され、前記開口１５ａから落下したメダルは、当接部２５ａによって、図１０に示すように、排出経路２０（排出部２０ａ側）に向けて押圧される（図１０は、プッシャ２５の最大押圧位置を示す）。
【００３５】
そして、さらに、図１０に示す状態から回転板３６が矢印Ｄ２方向に回転駆動されて、前記一方の係合ピン３６ａが基端面２５ｂから離反し始めると、プッシャ２５は、次に落下するメダルを押圧すべく、前記引張バネ２７の付勢力によって図９に示す初期位置に戻り、１８０°間隔で設けられた他方の係合ピン３６ａが、次のプッシャ２５の押圧作用を行なうようになる。
【００３６】
以上の動作から明らかなように、前記スライドプレート１７は、偏芯カム３３が１回転することで１往復駆動され、この間に、プッシャ２５は、回転板３６が１回転することで２往復駆動されるようになる。すなわち、スライドプレート１７が１往復駆動する際に、前記保持部１３ａ，１３ｂから開口１７ａに交互に落下するメダルは、スライドプレート１７の移動に伴って開口１５ａに順次落下することとなり、開口１５ａに順次落下したメダルは、落下する毎に、プッシャ２５によって押圧作用を受けるようになって、複数の保持部１３ａ，１３ｂに積層されるメダルを、効率的に排出経路２０に押し出すことが可能となる。
【００３７】
また、本実施形態では、プッシャ２５の当接部２５ａによって押圧作用を受けたメダルが、当接部２５ａから分離できるように分離手段を備えている。すなわち、このような分離手段を設けておくことにより、メダルに接着性の部材等が付着していても、プッシャ２５からメダルを確実に分離することができ、メダル詰まりなどの不具合を防止することが可能となる。具体的に、分離手段は、前記排出経路２０を規定する一対のガイド部材の一方に設けられている。
【００３８】
図９及び図１０に示すように、分離手段４０は、プッシャ２５の最大押圧位置に対応してガイド部材２１ａに設けられており、付勢バネ４１によって排出経路２０に向けて付勢保持される摺動子４２を備えている。この摺動子４２の排出経路２０に突出する部分には、メダルが開口１５ａから押し出された際に、最初に当て付いて摺動子４２を付勢バネ４１の付勢力に抗して矢印方向に移動させる傾斜面４２ａと、メダルが傾斜面４２ａを通過した後に、メダルの当接部２５ａ側への戻りを規制する傾斜面４２ｂが形成されている。すなわち、メダルは、プッシャ２５によって最大押圧位置まで押圧されると、摺動子４２を付勢バネ４１の付勢力に抗して矢印方向に移動させた後、摺動子４２が付勢バネ４１の復帰力によって初期位置に戻ると、傾斜面４２ｂによって当接部２５ａ側への戻りが規制され、確実に分離作用を受けるようになっている。
【００３９】
なお、このような分離手段の構成については、プッシャ２５が戻る際に、確実にメダルが分離できるように構成されたものであれば良く、適宜変形することが可能である。
【００４０】
また、前記排出経路２０の端部には、図４及び図１１に示すように、メダルを弾き出す押出機構４５が設置されており、排出経路２０内で連続的に前記プッシャ２５によって押し出されるメダルを、ユニット外に弾き出すようになっている。この押出機構４５は、メダルに当接する円柱状の当接部４６を、図４に示すように、矢印方向に回動付勢保持しており、メダルが当接する毎に付勢力に抗して回動され、かつメダルの通過に伴って、付勢力によって弾き出すようになっている。この場合、回動する当接部４６には、一体的に回動するように遮蔽部材４７が連結されており、この遮蔽部材４７は、メダルが弾き出される毎に光学式のセンサ４８の受光素子４８ａと受光素子４８ｂとの間に回動されて、１枚毎のメダルの排出が検出されるようになっている。
【００４１】
また、前記排出経路２０の端部には、図４及び図１１に示すように、メダルが所定位置（ＩＣタグに非接触で情報を書き込む位置）に到達したことを検出する機械式のセンサ５０が設置されており、このセンサ５０によってメダルが所定位置に到着したことが検出されると、下面カバー１９に取着された非接触型ヘッド（アンテナ）６０（図８参照）によって、そのメダルに組み込まれたＩＣタグに価値情報が書き込まれるようになる。なお、下面カバー１９には、前記各センサからの検出信号が入力されて、上記した駆動モータ３１の回転制御、及び非接触型ヘッド６０の書き込み処理動作等を制御する制御回路基板７０が取着されており、払出ユニット１０の全体の動作を制御するようになっている。
【００４２】
次に、上記したメダル払出ユニット１０の作用について説明する。  
メダル払出ユニット１０は、メダルを積層収容するメダル収容体２００を複数（２本）設置していることから、メダルの蓄積枚数が、単一の収容体の場合と比較して増えると共に、メダル収容体を高く構成しなくても、ある程度の蓄積枚数が確保されることから、メダル払出ユニット１０を高さ方向において小型化することが可能になる。また、上述したように、着脱機構１３の各保持部１３ａ，１３ｂに差し込まれた各メダル収容体２００からは、スライドプレート１７が１往復駆動されると、交互にメダルが取り出され、交互に取り出されたメダルは、順次、開口１５ａを介して排出経路２０に案内される。このとき、スライドプレート１７と同期駆動されるプッシャ２５は、上述した駆動力伝達手段の構成により、スライドプレート１７の１往復駆動毎に２回往復駆動されて、順次、開口１５ａから落下するメダルＭを排出部２０ａ側に向けて押し出すため、効率的に、メダルの取り出し、及び押出し作用が得られるようになる。
【００４３】
以上、本発明の実施形態について説明したが、本発明は、上記した実施形態に限定されることはなく、種々変形することが可能である。例えば、上記した実施形態では、メダル払出ユニット１０は、２つのメダル収容体を装着するように構成したが、１つであっても良いし、３つ以上のメダル収容体を装着するようにしても良い。３つ以上のメダル収容体２００を装着する構成では、メダル取出部材（スライドプレート１７）が１往復駆動する際に、各メダル収容体から順番にメダルを取り出し、そして、取り出したメダルを押圧するプッシャ２５を、取り出したメダル分だけ往復駆動するように構成すれば良い。また、上記した駆動手段や駆動力伝達手段の構成については、適宜変形することが可能である。
【００４４】
さらに、上記したメダル払出ユニット１０は、単独で各所に設置しておいても良く、例えば、遊技場の従業者が操作することで、メダルを払出すようにしても良い。
【産業上の利用可能性】
【００４５】
本発明は、上記したようにＩＣタグのような情報記録素子を組み込んでいないメダルを払出すメダル貸出機やメダル払出ユニットにも適用することが可能である。
【図面の簡単な説明】
【００４６】
【図１】メダル貸出機の一構成例を示す斜視図。
【図２】メダル貸出機のフロントドアを開放して、メダル払出ユニットが設置された状態を示す図。
【図３】メダル払出ユニットに着脱可能に装着されるメダル収容体の構成を示す図。
【図４】本発明に係るメダル払出ユニットの全体構成を示す斜視図。
【図５】メダル収容体を着脱可能にする着脱機構の構成を示す断面図であり、（ａ）は、メダルがメダル収容体内に存在している状態を示す図、（ｂ）は、エンプティセンサがメダルが無くなったことを検出する状態を示す図。
【図６】スライドプレートの構成を示す平面図。
【図７】（ａ）は、スライドプレートが左側に駆動された状態を示す平面図、（ｂ）は、スライドプレートが右側に駆動された状態を示す平面図。
【図８】メダル払出ユニットの裏面図。
【図９】メダル払出ユニットの裏側に取着された下面カバーを取り外した状態であって、プッシャの初期位置を示す図。
【図１０】プッシャが最大押圧位置に移動した状態を示す図。
【図１１】メダル払出ユニットをメダルが排出される側から見た正面図。
【符号の説明】
【００４７】
１  メダル貸出機
１０  メダル払出ユニット
１３  着脱機構
１３ａ，１３ｂ  保持部
１３ｃ，１３ｄ  段部
１３ｇ，１３ｈ  蓄積部
１５ａ  開口
１７  スライドプレート（メダル取出部材）
２０  排出経路
２５  プッシャ
３１  駆動モータ
９０  メダル検出センサ（エンプティセンサ）
２００  メダル収容体（筒状部材）
【図１】
2006026027.tif 000003
【図２】
2006026027.tif 000004
【図３】
2006026027.tif 000005
【図４】
2006026027.tif 000006
【図５】
2006026027.tif 000007
【図６】
2006026027.tif 000008
【図７】
2006026027.tif 000009
【図８】
2006026027.tif 000010
【図９】
2006026027.tif 000011
【図１０】
2006026027.tif 000012
【図１１】
2006026027.tif 000013